(57)【要約】【課題】多心光ケーブルに使用される多数のＭＴコネクタの中から、該当するＭＴコネクタの個別識別を容易にでき、しかも識別情報量も飛躍的に増大させることを可能とする。【解決手段】光ファイバ５を接合するための接合面１３を有する一対のコネクタ本体９と、この一対のコネクタ本体９の一方のコネクタ本体９に接合面１３の光ファイバ５を軸心合わせするために設けられた複数のガイド孔１５と、他方のコネクタ本体９に前記ガイド孔１５に装着されたガイド部材１１と、前記一対のコネクタ本体９を互いに接合面１３で突き合わせた状態にクランプするクランプ部材１９と、このクランプ部材１９に内蔵して識別情報を記憶するＲＦＩＤ２９と、から構成している。前記ＲＦＩＤ２９から該当するＭＴコネクタ５の識別情報が容易に読み出され、ＲＦＩＤ２９により取扱い可能な識別情報量が増加する。【選択図】      図１
2004317737.tif 000002
【特許請求の範囲】
【請求項１】
光ファイバを接合するための接合面を有する一対のコネクタ本体と、この一対のコネクタ本体の一方のコネクタ本体に接合面の光ファイバを軸心合わせするために設けられた複数のガイド孔と、前記一対のコネクタ本体の他方のコネクタ本体に前記ガイド孔に装着されたガイド部材と、前記一対のコネクタ本体を互いに接合面で突き合わせた状態にクランプするクランプ部材と、このクランプ部材に設けられ識別情報を記憶するＲＦＩＤと、を備えてなることを特徴とするＭＴコネクタ。
【請求項２】
前記ＲＦＩＤが、外部から非接触で前記識別情報を読み書き可能であることを特徴とする請求項１記載のＭＴコネクタ。
【請求項３】
光ファイバを軸心合わせする一対のＭＴコネクタを互いに突き合わせた状態にクランプするクランプ部材であって、このクランプ部材に識別情報を記憶するＲＦＩＤが設けられていることを特徴とするクランプ部材。
【請求項４】
前記ＲＦＩＤが、外部から非接触で前記識別情報を読み書き可能であることを特徴とする請求項３記載のクランプ部材。
【請求項５】
複数の素線又はテープ心線からなる光ファイバ心線をシースした光ケーブルを敷設すると共にこの光ケーブルの複数の光ファイバを複数対のＭＴコネクタで接続し且つ各一対のＭＴコネクタ毎にクランプ部材にてクランプして構成される前記複数の光ファイバの回線を管理する光ファイバ管理方法において、
予め、前記各クランプ部材毎に、該当するＭＴコネクタを識別するための識別情報を記憶したＲＦＩＤを設け、前記各ＭＴコネクタのＲＦＩＤの識別情報を読取り装置によって該当するＭＴコネクタを個別に識別することにより、各光ファイバの回線状態を管理することを特徴とする光ファイバ管理方法。
【請求項６】
前記ＲＦＩＤが、外部から非接触で前記識別情報を読み書き可能であることを特徴とする請求項５記載の光ファイバ管理方法。
【発明の詳細な説明】
【０００１】
【発明の属する技術分野】
この発明は、多数本の光ファイバを有するテープ心線を接続するための多心光ファイバ用のＭＴコネクタが多数敷設され、この多数のＭＴコネクタの中から個々のＭＴコネクタを容易に識別することを可能とするＭＴコネクタ及び前記ＭＴコネクタで用いられるクランプ部材並びに前記ＭＴコネクタを用いた光ファイバ管理方法に関する。
【０００２】
【従来の技術】
図４を参照するに、従来、多数の光ファイバをシースした多心光ケーブル１０１が敷設される際に、上記の多心光ケーブル１０１の多数の光ファイバが局にある光ファイバ集線装置としての光配線盤（ＭＤＦ：  Ｍａｉｎ  Ｄｉｓｔｒｉｂｕｔｉｏｎ  Ｆｒａｍｅ、以下「ＭＤＦ」と略す）などにおいて光コネクタなどで結線されている。上記の多心光ケーブル１０１は長さが限られているために他の多心光ケーブル１０１が接続されて延長される。図４では第１〜第４多心光ケーブル１０１Ａ〜１０１Ｄが接続されている。
【０００３】
近い将来に、ＦＴＴＨ（Ｆｉｂｅｒ−ｔｏ−ｔｈｅ−Ｈｏｍｅ）に代表される光アクセス網が進展し、光ファイバが各加入者まで普及すると予測されている。局から各家庭までの距離は、たかだか数ｋｍに過ぎないが、一般的に、日本の大都市部の局の加入者数は数万にも達するので、局において、ＭＤＦで成端される加入者系の光ファイバも数万に達すると予測される。これを単心（１心）光コネクタで成端するとやはり数万のオーダになる。そこで、多心光ファイバテープ心線１０３などの多心の光ファイバを接続するための多心光コネクタとしての例えばＭＴコネクタ１０５（Ｍｅｃｈａｎｉｃａｌｌｙ  Ｔｒａｎｓｆｅｒａｂｌｅ  Ｃｏｎｎｅｃｔｏｒ）が採用されることで、光コネクタ数を大幅に減らすことができている。
【０００４】
一方、光ファイバ心数が数百から千心以上の多心光ケーブル１０１も実用化され、局へ引き込まれる光ケーブルの本数を減らすことができている。これらの多心光ケーブル１０１では、通常、４心あるいは８心の光ファイバテープ心線１０３が多数収納されており、多心光ケーブル１０１の片端あるいは両端には、４心あるいは８心の多心光コネクタが製造工場にて取りつけられて出荷されている。
【０００５】
例えば、１０００心の光ケーブルは、８心の光ファイバテープ心線１０３が１２５本から成り、その一端には１２５個の８心ＭＴコネクタ１０５が取り付けられている。通常、多心光ケーブル１０１がその先端（引き込み端）から例えばマンホール１０７Ａ内に引き込まれ、管路（日本の場合は、通常で内径φ７５ｍｍ）を通して、次のマンホール１０７Ｂまで引き通される際に、スプリングアイという金具が先端に取り付けられる。なお、各マンホール１０７Ａ〜１０７Ｄ内では各クロージャ１０９Ａ〜１０９Ｄの中で多心光ファイバテープ心線１０３の各光ファイバが接続される。
【０００６】
ところが、多心光ケーブル１０１の先端が大きくなると、管路内を引き通すことができないことと、マンホール１０７Ａ〜１０７Ｄの間の距離と多心光ケーブル１０１の長さとの現場での調整の必要性から、通常は多心光ケーブル１０１の終端末のみにＭＴコネクタ１０５が取り付けられて出荷されている。例えば、図４において、第２多心光ケーブル１０１Ｂは第１マンホール１０７Ａから第２マンホール１０７Ｂまでの間に引き通されている。第１マンホール１０７Ａの第１クロージャ１０９Ａの内部では、多数の多心光ファイバテープ心線１０３がＭＴコネクタ１０５により接続されており、第２マンホール１０７Ｂの第２クロージャ１０９Ｂの内部では、多数の多心光ファイバテープ心線１０３が融着接続されている。
【０００７】
一方、第３多心光ケーブル１０１Ｃは第３マンホール１０７Ｃから第２マンホール１０７Ｂの方向へ、すなわち第２多心光ケーブル１０１Ｂとは逆の方向に引き通されている。このように、ＭＴコネクタ１０５による接続と融着接続とがマンホール１０７Ａ〜１０７Ｄで接続毎に交互に繰り返されている。
【０００８】
大都市部においては、交通渋滞を招く工事は夜間に短時間のみ許可されるのであるが、工場でＭＴコネクタ１０５が多心光ケーブル１０１に取り付けられて出荷されることにより、現場においては多心光ケーブル１０１の光ファイバ同士を短時間で接続することが可能である。
【０００９】
以上は、新しく多心光ケーブル１０１が敷設されるときに関するものであるが、敷設されてからある期間経過後に当初の需要予測と異なる事態になった場合、敷設された多心光ケーブル１０１の多心光ファイバテープ心線１０３の配線替えをせざるを得ない事態に迫られることがある。このような場合は、ＭＴコネクタ１０５で接続したクロージャ１０９Ａ，１０９Ｃを開き、当該ＭＴコネクタ１０５が脱着されて新しい需要に見合うように配線替えが行われる。この時、クロージャ１０９Ａ，１０９Ｃには多数のＭＴコネクタ１０５が存在するので、誤脱着や誤接続を避けるために個々のＭＴコネクタ１０５を個別に識別する必要がある。
【００１０】
図５及び図６を参照するに、ＭＴコネクタ１０５としては、ＪＩＳ（規格番号ＪＩＳ  Ｃ  ５９８１）では、２心、４心、８心、１０心、１２心光ファイバテープ心線用のフェルール１１１が規格化されている。ＭＴコネクタ１０５は、予め多心光ファイバテープ心線１０３に取り付けた２個のフェルール１１１を２本の精密なガイドピン１１３で位置決めして突き合わせることにより、各フェルール１１１の接合面１１５に露出した複数の各光ファイバ１１７同士を接続するものである。
【００１１】
ＭＴコネクタ１０５のフェルール１１１は多心光ファイバテープ心線１０３の複数の光ファイバ１１７を接合面の所定位置に露出せしめて接続するものであり、例えば、６０〜８０Ｗｔ％の充填材（通常、シリカ微粉末）を含有したエポキシ樹脂、ポリフェニレンサルファイド樹脂（Ｐｏｌｙｐｈｅｎｙｌｅｎｅ  Ｓｕｌｆｉｄｅ  Ｒｅｓｉｎ、以下ＰＰＳと略す）などから、トランスファー成型された小型の樹脂成形品である。ＭＴコネクタ１０５のフェルール１１１は、その成分として充填材を含有することにより、樹脂単体の時よりヤング率を高めてトランスファー成型時の歪みを減少させ、接合面の研磨性に優れており、使用時には弾性変形を抑えることができる。
【００１２】
フェルール１１１にはブーツ１１９が取り付けられており、このブーツ１１９は合成ゴムから成り、多心光ファイバテープ心線１０３がフェルール１１１の接合面１１５の反対側に挿入される部分に位置している。ブーツ１１９は多心光ファイバテープ心線１０３がフェルール１１１の根元付近で曲げられた時に応力集中を避けるために設けられている。
【００１３】
２本のガイドピン１１３は、ステンレス鋼から成り、フェルール１１１に設けたガイド孔１２１に挿入されることにより、相対する一対（２個）のＭＴコネクタ１０５のフェルール１１１に接続された多心光ファイバテープ心線１０３の軸合わせを行うためのものである。
【００１４】
以上のように、多心光ファイバテープ心線１０３の軸合わせがガイドピン１１３によってなされた一対（１組）のＭＴコネクタ１０５のフェルール１１１は、図５に示されているように１個のステンレス鋼製のクランプスプリング１２３によって一定の押圧力が光ファイバ１１７の軸方向にかけられるので安定した嵌合状態が保持される。
【００１５】
図６において、ＭＴコネクタ１０５のフェルール１１１のマーキング面１２５は、ＭＴコネクタ１０５の構造上、嵌合組み合わせが２通り存在するので、逆接続を防止する目的で、２面ある例えば２．０ｍｍ×３．０ｍｍの側面のうちの一方の面のみに着色などによって接続方向を一義的に確定させるものである。
【００１６】
さらに、１対のフェルール１１１が相対する接合面１１５とブーツ１１９が挿入されている面（多心光ファイバテープ心線１０３が挿入されている面）を除いてフェルール１１１の１面あるいは複数面の情報表示面１２７には、文字、数字又はバーコードなどの識別情報が直接印字され、あるいは前記識別情報を印刷したラベルが貼り付けられることにより、ＭＴコネクタ１０５を個別に識別可能となる（例えば、特許文献１及び特許文献２参照）。
【００１７】
【特許文献１】
特開平９−１９７１９４号公報
【００１８】
【特許文献２】
特開２００２−１１６３４５号公報
【００１９】
【発明が解決しようとする課題】
ところで、従来のＭＴコネクタ１０５においては、図６に示されているように、小さな寸法のフェルール１１１の情報表示面１２７に、個体識別用として文字、数字、バーコードなどで識別情報が直接印刷されるか、あるいは文字、数字、バーコードなどを印刷したラベルが貼られるので、長期間経過すると上記の印字が不鮮明になったり、あるいはラベルが剥がれたりするという問題点があった。しかも、従来の方法ではフェルール１１１の情報表示面１２７の面積が狭いことの制約から、印字数が限定されるために識別情報量においても限られるので、必要な情報をすべて記載することは不可能であるという問題点があった。
【００２０】
また、クロージャ１０９Ａ、１０９ＣやＭＤＦなどに収納されたＭＴコネクタ１０５を露出しないと確認できない。さらに、多数のＭＴコネクタ１０５の中から目的のＭＴコネクタ１０５を探し出すには多くの時間を要するために工事コストが上昇するという問題点があった。
【００２１】
また、万一、間違ったＭＴコネクタ１０５が切り離されてしまった時は、当該ＭＴコネクタ１０５の光ファイバに流れる信号で制御されていた機器の誤作動や情報の停止が発生し、重大な事故につながるという問題点があった。
【００２２】
この発明は上述の課題を解決するためになされたもので、その目的は、敷設された多心光ケーブルにおいて各光ファイバを接続するための多数のＭＴコネクタの中から、各ＭＴコネクタの個別識別を容易にでき、しかも識別情報量も飛躍的に増大させることを可能とするＭＴコネクタ及び前記ＭＴコネクタで用いられるクランプ部材並びに前記ＭＴコネクタを用いた光ファイバ管理方法を提供することにある。
【００２３】
【課題を解決するための手段】
上記目的を達成するために請求項１によるこの発明のＭＴコネクタは、光ファイバ同士を接続するための接合面を有するＭＴコネクタにおいて、光ファイバを接合するための接合面を有する一対のコネクタ本体と、この一対のコネクタ本体の一方のコネクタ本体に接合面の光ファイバを軸心合わせするために設けられた複数のガイド孔と、前記一対のコネクタ本体の他方のコネクタ本体に前記ガイド孔に装着されたガイド部材と、前記一対のコネクタ本体を互いに接合面で突き合わせた状態にクランプするクランプ部材と、このクランプ部材に設けられ識別情報を記憶するＲＦＩＤと、を備えてなることを特徴とするものである。
【００２４】
したがって、回線切り替え等の際に、クランプ部材に設けられたＲＦＩＤから該当するＭＴコネクタの識別情報が容易に読み出されるので、確実にＭＴコネクタの誤脱着や誤接続が避けられ、回線切り替え工事費の削減にも寄与する。また、ＲＦＩＤにより取扱い可能な識別情報量が増加する。
【００２５】
請求項２によるこの発明のＭＴコネクタは、請求項１記載のＭＴコネクタにおいて、前記ＲＦＩＤが、外部から非接触で前記識別情報を読み書き可能であることを特徴とするものである。
【００２６】
したがって、ＭＴコネクタの識別情報はＲＦＩＤに容易に書き込むことができ、この書き込まれたＭＴコネクタの識別情報は時間経過によって消滅することはなく、例えばリーダ／ライタ機器により外部から非接触で短時間に容易に識別される。
【００２７】
請求項３によるこの発明のクランプ部材は、光ファイバを軸心合わせする一対のＭＴコネクタを互いに突き合わせた状態にクランプするクランプ部材であって、このクランプ部材に識別情報を記憶するＲＦＩＤが設けられていることを特徴とするものである。
【００２８】
したがって、一対のＭＴコネクタを互いに突き合わせた状態にクランプ部材でクランプことにより、回線切り替え等の際に、前記ＲＦＩＤから該当するＭＴコネクタの識別情報が容易に読み出されるので、確実にＭＴコネクタの誤脱着や誤接続が避けられ、回線切り替え工事費の削減にも寄与する。また、ＲＦＩＤにより取扱い可能な識別情報量が増加する。
【００２９】
請求項４によるこの発明のクランプ部材は、請求項３記載のクランプ部材において、前記ＲＦＩＤが、外部から非接触で前記識別情報を読み書き可能であることを特徴とするものである。
【００３０】
したがって、ＭＴコネクタの識別情報はＲＦＩＤに容易に書き込むことができ、この書き込まれたＭＴコネクタの識別情報は時間経過によって消滅することはなく、例えばリーダ／ライタ機器により外部から非接触で短時間に容易に識別される。
【００３１】
請求項５によるこの発明の光ファイバ管理方法は、複数の素線又はテープ心線からなる光ファイバ心線をシースした光ケーブルを敷設すると共にこの光ケーブルの複数の光ファイバを複数対のＭＴコネクタで接続し且つ各一対のＭＴコネクタ毎にクランプ部材にてクランプして構成される前記複数の光ファイバの回線を管理する光ファイバ管理方法において、
予め、前記各クランプ部材毎に、該当するＭＴコネクタを識別するための識別情報を記憶したＲＦＩＤを設け、前記各ＭＴコネクタのＲＦＩＤの識別情報を読取り装置によって該当するＭＴコネクタを個別に識別することにより、各光ファイバの回線状態を管理することを特徴とするものである。
【００３２】
したがって、光ケーブルの接続時に、光ファイバの心線、回線、施工等の情報が各一対のＭＴコネクタのクランプ部材毎に設けられたＲＦＩＤに盛り込まれる。そして、回線切り替え等の際には、各クランプ部材に設けられたＭＴコネクタのＲＦＩＤから光ファイバの識別情報が読み出されることにより、回線が乗った光ファイバをさわることなく、必要とする光ファイバの心線対照・識別が容易に行われるので、大幅な省力化が図られる。
【００３３】
請求項６によるこの発明の光ファイバ管理方法は、請求項５記載の光ファイバ管理方法において、前記ＲＦＩＤが、外部から非接触で前記識別情報を読み書き可能であることを特徴とするものである。
【００３４】
したがって、光ファイバの識別情報はＲＦＩＤに容易に書き込むことができ、この書き込まれた光ファイバの識別情報は時間経過によって消滅することはなく、例えばリーダ／ライタ機器により外部から非接触で短時間に容易に識別される。
【００３５】
【発明の実施の形態】
以下、この発明の実施の形態について図面を参照して説明する。
【００３６】
図１及び図３を参照するに、この実施の形態に係る多心光ケーブル１は、例えば複数の多心光ファイバテープ心線３をシースしたケーブルである。この多心光ケーブル１が地中や電柱に敷設される際に、多心光ケーブル１は長さが限られているために他の多心光ケーブル１が接続されて延長される。このとき、多心光ケーブル１の各多心光ファイバテープ心線３の各光ファイバ５が一対のＭＴコネクタ７により接続されることにより多心光ケーブル１が延長されるものである。
【００３７】
この実施の形態に係る一対のＭＴコネクタ７は、図１に示されているように４心光ファイバテープ心線用のものを例としているが、ＪＩＳ（規格番号ＪＩＳ  Ｃ  ５９８１）では、２心、４心、８心、１０心、１２心光ファイバテープ心線用のフェルールが規格化されている。ＭＴコネクタ７は、予め多心光ファイバテープ心線３に取り付けた一対のコネクタ本体としての例えば図１において右側の各フェルール９に設けられたガイド部材としての例えば精密な２本のガイドピン１１が、図１において左側の各フェルール９に設けられたガイド孔１５に装着され位置決めして突き合わされることにより、各フェルール９の接合面１３に露出した複数の各光ファイバ５同士を接続するものである。
【００３８】
一対のＭＴコネクタ７のフェルール９は多心光ファイバテープ心線３の複数の光ファイバ５を接合面１３の所定位置に露出せしめて接続するものであり、例えば、６０〜８０Ｗｔ％の充填材（通常、シリカ微粉末）を含有したエポキシ樹脂、ＰＰＳ樹脂などから、トランスファー成型された小型の樹脂成形品である。各ＭＴコネクタ７のフェルール９は、その成分として充填材を含有することにより、樹脂単体の時よりヤング率を高めてトランスファー成型時の歪みを減少させたり、接合面１３の研磨性に優れており、使用時には弾性変形を抑えることができる。
【００３９】
また、各フェルール９にはブーツ１７が取り付けられており、このブーツ１７は合成ゴムからなり、多心光ファイバテープ心線３が各フェルール９の接合面１３の反対側に挿入される部分に位置している。前記各ブーツ１７は多心光ファイバテープ心線３が各フェルール９の根元付近で曲げられた時に応力集中を避けるために設けられている。
【００４０】
ガイドピン１１は例えばステンレス製などの金属製から構成されており、図１において左側のフェルール９に設けたガイド孔１５に挿入されることにより、相対する１対のＭＴコネクタ７の各フェルール９に接続された多心光ファイバテープ心線３の各光ファイバ５の軸合わせを行う位置決め用ガイド部材である。
【００４１】
上記の２個で１対のＭＴコネクタ７のフェルール９は、多心光ファイバ５の軸合わせが一対のガイドピン１１によって行われ、図１に示されているようにクランプ部材としての例えば１個のステンレス鋼製のクランプスプリング１９によって一定の押圧力が光ファイバ５の軸方向にかけられることにより安定した嵌合状態が保持される。
【００４２】
この発明の実施の形態の主要部を構成するクランプスプリング１９は、平板状のプレート部２１の長手方向（図１において右斜め上と左斜め下とを結ぶ方向）の両端側に、互いに対向するフック部２３が図１において上方へ立ち上がって一体化されている。前記フック部２３は互いに突き合わされた一対のフェルール９の後端面を挟み込むようにクランプするためにスプリング性（弾力性）を有するものである。また、上記の長手方向の両端側のフック部２３にはブーツ１７を嵌入可能な切欠き部２５が設けられている。したがって、この実施の形態ではクランプスプリング１９は合計４つのフック部２３が設けられている。
【００４３】
また、各フック部２３の上部にはクランプスプリング１９の長手方向の外側に向けて湾曲した湾曲部２７が合計４つ一体化されている。この４つの湾曲部２７のうちの１つの湾曲部２７の内側にＲＦＩＤ２９  （Ｒａｄｉｏ  Ｆｒｅｑｕｅｎｃｙ  Ｉｄｅｎｔｉｆｉｃａｔｉｏｎ）  が設けられている。
【００４４】
図２を参照するに、上記のＲＦＩＤ２９について詳しく説明すると、この実施の形態では、ＲＦＩＤ２９はプラスチック製の筒状のケース３１内に、ＲＦＩＤ２９を構成する同調用コンデンサと電源用コンデンサとＭＴコネクタ７の識別情報を記憶したＩＣ（Ｉｎｔｅｇｒａｔｅｄ  Ｃｉｒｃｕｉｔ）チップとを収納したＩＣパッケージ３３と、このＩＣパッケージ３３に電気的に接続したアンテナコイル３５が内蔵されている。アンテナコイル３５は微小アンテナの役割を果たすもので、まっすぐな棒状または板状の磁芯部材３７と、この磁芯部材３７に当該磁芯部材３７の軸芯を中心として螺旋状に卷回されたコイル本体としての被覆銅線３９とからなる。
【００４５】
ＭＴコネクタ７のフェルール９が熱硬化性樹脂であると共にＲＦＩＤ２９がクランプスプリング１９の１つの湾曲部２７の幅方向の両端に露出されているので、図３に示されているように一対のＭＴコネクタ７をクランプしたクランプスプリング１９のＲＦＩＤ２９と電磁誘導を用いた読取り装置としての例えばＲＦＩＤ読取り装置４１（リード機器又はリード／ライタ機器）との信号伝達が可能である。
【００４６】
ＲＦＩＤ２９は、ＲＦＩＤ読取り装置４１にケーブル４３で結線されたアンテナ４５から発信される無線電波により、アンテナコイル３５を経てＩＣパッケージ３３内のＩＣチップに記憶されたＭＴコネクタ７の管理情報、ＭＴコネクタ７に接続している多心光ファイバテープ心線３の光ファイバ情報、接続作業時の情報などの識別情報が読み出し且つ書き込み可能に構成されている。つまり、ＲＦＩＤ読取り装置４１のアンテナ４５とＲＦＩＤ２９のアンテナコイル３５との間で電磁波のやり取りが行われ、ＲＦＩＤ２９を設けたクランプスプリング１９でクランプされているＭＴコネクタ７の個別の識別が可能となる。
【００４７】
なお、上記のＲＦＩＤ２９には、上述したように接続される多心光ファイバテープ心線３、回線、施工等を含むＭＴコネクタ７の識別情報が例えばリード／ライタ機器によって予め盛り込まれる。
【００４８】
以上のようにして、多心光ケーブル１の各多心光ファイバテープ心線３が一対のＭＴコネクタ７により接続されることにより多心光ケーブル１が延長されて敷設される。しかも、接続された一対のＭＴコネクタ７には当該ＭＴコネクタ７の識別情報を記憶したＲＦＩＤ２９がクランプスプリング１９に設けられている。
【００４９】
図３を参照するに、現場における多心光ケーブル１のＭＴコネクタ７の識別試験の状態が示されている。敷設された多心光ケーブル１の多心光ファイバテープ心線３を配線替えする場合は、ＭＴコネクタ７で接続したクロージャ（図示省略）を開き、このクロージャに存在する多数のＭＴコネクタ７の中から目的とするＭＴコネクタ７を識別するために、ＲＦＩＤ読取り装置４１にケーブル４３で結線されたアンテナ４５から、２９４ｋＨｚの電磁波が呼び掛け信号として周囲に放射される。なお、上記の電磁波は、通常は２９５ｋＨｚ以下であるが、これに限定されない。
【００５０】
一方、識別すべきＭＴコネクタ７には、ＲＦＩＤ２９を設けたクランプスプリング１９が使用されているので、ＲＦＩＤ２９は上記のアンテナ４５から発信された呼び掛け信号としての２９４ｋＨｚの電磁波をエネルギー源にして電源用コンデンサに蓄積した後に、ＩＣチップに記憶されたＭＴコネクタ７の識別情報などを含む応答信号としての電磁波を上記アンテナ４５に返送する。
【００５１】
以上のように、回線切り替え等の際に、ＲＦＩＤ読取り装置４１のアンテナ４５とＲＦＩＤ２９との間の電磁波のやり取りにより、ＲＦＩＤ２９の識別情報がＲＦＩＤ読取り装置４１（リード機器又はリード／ライタ機器）で読み出され、ＲＦＩＤ２９が取り付けられているＭＴコネクタ７の識別が容易に行われるので、確実にＭＴコネクタ７の誤脱着や誤接続が避けられると共に回線切り替え工事費の削減に寄与する。
【００５２】
また、ＲＦＩＤ２９を設けたクランプスプリング１９が用いられることにより、取扱い可能な識別情報量が増加するので、ＭＴコネクタ７の管理情報、当該ＭＴコネクタ７に接続している多心光ファイバテープ心線３の光ファイバ情報、接続作業時の情報などの飛躍的な識別情報量がＲＦＩＤ２９に入力されることにより、該当する多心光ファイバテープ心線３の各光ファイバ５の心線対照・識別も可能となるので、光ケーブル製造工程管理や光ケーブル管理が容易となる。
【００５３】
なお、この発明は前述した実施の形態に限定されることなく、適宜な変更を行うことによりその他の態様で実施し得るものである。前記クランプスプリング１９の材質としてステンレス鋼を用いた例で説明したが熱硬化性樹脂により一体成形されたものを用いてもよい。
【００５４】
【発明の効果】
以上のごとき発明の実施の形態の説明から理解されるように、請求項１の発明によれば、回線切り替え等の際に、クランプ部材に設けられたＲＦＩＤから該当するＭＴコネクタの識別情報を容易に読み出すことができるので、確実にＭＴコネクタの誤脱着や誤接続を避けることができ、回線切り替え工事費の削減にも寄与する。また、ＲＦＩＤにより取扱い可能な識別情報量を増加できる。
【００５５】
請求項２の発明によれば、ＭＴコネクタの識別情報はＲＦＩＤに容易に書き込むことができ、この書き込まれたＭＴコネクタの識別情報は時間経過によって消滅することはなく、例えばリーダ／ライタ機器により外部から非接触で短時間に容易に識別できる。
【００５６】
請求項３の発明によれば、２つのＭＴコネクタを互いに突き合わせた状況にクランプ部材でクランプすることにより、回線切り替え等の際に、前記ＲＦＩＤから該当するＭＴコネクタの識別情報を容易に読み出すことができるので、確実にＭＴコネクタの誤脱着や誤接続を避けることができ、回線切り替え工事費の削減にも寄与する。また、ＲＦＩＤにより取扱い可能な識別情報量を増加できる。
【００５７】
請求項４の発明によれば、ＭＴコネクタの識別情報はＲＦＩＤに容易に書き込むことができ、この書き込まれたＭＴコネクタの識別情報は時間経過によって消滅することはなく、例えばリーダ／ライタ機器により外部から非接触で短時間に容易に識別できる。
【００５８】
請求項５の発明によれば、光ケーブルの接続時には、各一対のＭＴコネクタのクランプ部材毎に設けられたＲＦＩＤに光ファイバの心線、回線、施工等の情報を盛り込むことができる。回線切り替え等の際には、各ＭＴコネクタのＲＦＩＤから光ファイバの識別情報を読み出すことができ、回線が乗った光ファイバをさわることなく、必要とする光ファイバの心線対照・識別を容易に行うことができるので、大幅な省力化を図ることができる。
【００５９】
請求項６の発明によれば、ＭＴコネクタの識別情報はＲＦＩＤに容易に書き込むことができ、この書き込まれたＭＴコネクタの識別情報は時間経過によって消滅することはなく、例えばリーダ／ライタ機器により外部から非接触で短時間に容易に識別できる。
【図面の簡単な説明】
【図１】この発明の実施の形態のＭＴコネクタの概略的な斜視図である。
【図２】この発明の実施の形態で用いられるＲＦＩＤの斜視図である。
【図３】この発明の実施の形態のＭＴコネクタの管理方法の概略的な説明図である。
【図４】従来におけるＭＴコネクタの管理方法の概略的な説明図である。
【図５】従来におけるＭＴコネクタの概略的な斜視図である。
【図６】従来におけるＭＴコネクタの概略的な斜視図である。
【符号の説明】
１  多心光ケーブル
３  多心光ファイバテープ心線
５  光ファイバ
７  ＭＴコネクタ（多心光コネクタ）
９  フェルール（コネクタ本体）
１１  ガイドピン（ガイド部材）
１３  接合面
１５  ガイド孔
１９  クランプスプリング（クランプ部材）
２１  プレート部
２３  フック部
２７  湾曲部
２９  ＲＦＩＤ
３１  ケース
３３  ＩＣパッケージ
３５  アンテナコイル
４１  ＲＦＩＤ読取り装置（リード機器又はリード／ライタ機器）
４５  アンテナ
【図１】
2004317737.tif 000003
【図２】
2004317737.tif 000004
【図３】
2004317737.tif 000005
【図４】
2004317737.tif 000006
【図５】
2004317737.tif 000007
【図６】
2004317737.tif 000008